(57)【要約】【課題】カメラ操作者が、フィルムセットまたはフィルムロケーション上で他のカメラ操作者によってとらえられている画像および／または音にアクセスすることができる、オーディオおよび／またはビデオ信号を記録および／または放送するためのシステムを提供すること。【解決手段】ビデオ信号を記録または放送するためのシステムであって、当該システムは少なくとも２つのビデオカメラを含み、当該ビデオカメラは相互に独立して動かされ、前記少なくとも２つのビデオカメラのうちの各カメラはビューファインダを有している形式のものであって、前記少なくとも２つのカメラの各カメラには、システムの他の各カメラに選択的に信号を伝送するための手段が設けられており、他の各カメラは当該信号を受信し、自身のビューファインダ内に示すようにされている、ことを特徴とするシステム。【選択図】図４
2006295941.tif 000002
【特許請求の範囲】
【請求項１】
ビデオ信号を記録または放送するためのシステムであって、
当該システムは少なくとも２つのビデオカメラ（１、２、３、４）を含み、
当該ビデオカメラは相互に独立して動かされ、前記少なくとも２つのビデオカメラ（１、２、３、４）のうちの各カメラはビューファインダを有している形式のものであって、
前記少なくとも２つのカメラの各カメラには、システムの他の各カメラに選択的に信号を伝送するための手段が設けられており、
他の各カメラは当該信号を受信し、自身のビューファインダ（１０）内に示すようにされている、
ことを特徴とするシステム。
【請求項２】
前記少なくとも２つのビデオカメラ（１、２、３、４）のうちの１つのビデオカメラは、システムの複数の他のカメラからの信号を受信し、表示するようにされている、請求項１記載のシステム。
【請求項３】
前記信号は、システムの前記少なくとも２つのビデオカメラ（１、２、３、４）の第１のカメラによって、各第１のカメラのカメラ操作者によって信号がアクティブにされると伝送される、請求項１または２記載のシステム。
【請求項４】
前記伝送された信号は、信号を伝送している各カメラ（１１）の識別を含む、請求項１、２または３記載のシステム。
【請求項５】
前記伝送された信号は、伝送している各カメラによってとらえられたビデオ信号を含む、請求項１から４までのいずれか１項記載のシステム。
【請求項６】
システム内の別のカメラのビューファインダ内に表示するために伝送されたビデオ信号は、各カメラによって記録されたまたは放送されたビデオ信号と比較して、低減されたフレーム率および／または解像度を有している、請求項５記載のシステム。
【請求項７】
前記伝送された信号はさらなる成分を含み、その伝送は付加的に伝送している各カメラのカメラ操作者によってアクティブにされ、これによってシステム内の他の各カメラは、システム内の他の各カメラのビューファインダ内で対応するビデオ信号を強調させる、請求項５または６記載のシステム。
【請求項８】
請求項１から７までのいずれか１項記載のシステム内で使用されるカメラであって、
信号を伝送する手段を有する形式のものにおいて、
前記カメラは、少なくとも１つの他のカメラから信号を選択的に受信する手段を有しており、
当該カメラは、前記少なくとも１つの他のカメラから来る信号を自身のビューファインダ（１０）内に選択的に表示するようにされている、
ことを特徴とするカメラ。
【請求項９】
前記カメラは、少なくとも１つの他のカメラ（１２、１３、１４）から受信したビデオ信号を、自身のビューファインダ（１０）内で、オリジナルのサイズに比べて低減されたサイズで再生するようにされている、請求項８記載のカメラ。
【請求項１０】
前記カメラは、受信信号内で請求項７に記載されたコンポーネントを検出する手段を有しており、
前記カメラは、当該コンポーネントを検出すると、画像の周りの点滅するおよび／または色付けされたフレームの形でビューファインダ内で強調させるようにされている、請求項９記載のカメラ。
【請求項１１】
前記カメラは、少なくとも１つの他のカメラから受信した画像の表示を選択的にアクティブにさせる手段を有している、請求項９または１０記載のカメラ。
【発明の詳細な説明】
【技術分野】
【０００１】
本発明は、少なくとも２つのカメラが同時に１つの場所で作動されるシステムに関する。
【背景技術】
【０００２】
複数のカメラが使用される、ビデオ記録またはビデオ放送の製作において通常は、コントロールルームにいるディレクターまたはプロデューサーがカメラ操作者に、画像をとらえる場所に関して指示をする。個々のカメラの画像はコントロールルームへ伝送される。このコントロールルーム内には複数のモニタが配置されている。各モニタは異なるカメラから来る画像を示し、ディレクターまたはプロデューサーは、カメラ操作者への位置割り当てを決め、記録される、または放送されるイベントのカバー範囲を最適化する。画像がとらえられた後に処理される、放送または記録内での使用に適しているとみなされる画像は「グッドショット（good shot）」と称される。イベントのカバー範囲にわたって記録された全コンテンツは「フッテージ（footage）」と称される。
【０００３】
よりコスト効率を良くするために、ディレクターまたはプロデューサーに対する必要性をなくすべきである。
【０００４】
複数のカメラの位置をコーディネートするプロデューサーなしに複数のカメラが使用される場合には、作品の全体図を保つことが難しい。最悪の場合には、全てのカメラ、すなわち、組み込みテープレコーダ上の各記録が「グッドショット」を同時に有している。その後カメラ操作者は同時に、またはほぼ同時に位置を変え、異なる位置から次のショットがとらえられる。このケースでは、例えば、作品がライブのミュージックパフォーマンスである場合、ミュージックパフォーマンス部分の間に使用可能なフッテージがない。しかしこのことは、後でフッテージが編集されるまで気付かれない。
【０００５】
プロデューサーが関与しない場合に、ライブイベントの部分がカバーされないという危険性を低減させるために、カメラ操作者はヘッドセットを使用する。このヘッドセットによってカメラ操作者は相互に話しをすることができる。上述の状況に対抗するこの既知の方法は幾つかの欠点を有している。第１に、カバーされるイベントが例えばミュージカルであり、彼らがステージ上に配置されている場合には、カメラ操作者が会話することは非常に迷惑になり得る。第２に、「グッドショット」を有する、２人より多くのカメラ操作者が相互に話そうとする場合には、コミュニケーションライン上でビジー状態が生じ、何が話されているのかが全体的に分かりづらくなる。第３に、カメラマンは、他のカメラマンが作成したショットを見ることができない。従ってショットは、異なる位置から撮られているだけで、まったく同じである可能性がある。
【０００６】
ＪＰ１１０８８７２８号は、レンズ情報を他のカメラへ伝送することができるカメラを開示している。このようにして、シーンをとらえている他のカメラマンと、ズームまたは他のレンズセッティングに関する情報を共有することができる。
【０００７】
ＷＯ００６４１４３Ａ号には、後方を見ている補助カメラを有するカメラが開示されている。後方に向けられているこのカメラの画像は、中込め画像（picture in picture）としてビューファインダ内で再生される。これによって、彼が後方に動く場合にカメラマンは、ビューファインダから目をそらすことなく、彼が行く場所を見ることができる。
【０００８】
しかし現在の解決方法では、他のカメラ操作者が現在何をとらえているのか、およびそれが使用可能なショットであるか、または使用可能でないショットであるかをカメラ操作者は正確に知らない。
【特許文献１】ＪＰ１１０８８７２８
【特許文献２】ＷＯ００６４１４３Ａ
【発明の開示】
【発明が解決しようとする課題】
【０００９】
従って本発明の課題は、カメラ操作者が、フィルムセットまたはフィルムロケーション上で他のカメラ操作者によってとらえられている画像および／または音にアクセスすることができる、オーディオおよび／またはビデオ信号を記録および／または放送するためのシステムを提供することである。
【課題を解決するための手段】
【００１０】
上述の課題は、ビデオ信号を記録または放送するためのシステムであって、当該システムは少なくとも２つのビデオカメラを含み、当該ビデオカメラは相互に独立して動かされ、前記少なくとも２つのビデオカメラのうちの各カメラはビューファインダを有している形式のものであって、前記少なくとも２つのカメラの各カメラには、システムの他の各カメラに選択的に信号を伝送するための手段が設けられており、他の各カメラは当該信号を受信し、自身のビューファインダ内に示すようにされている、ことを特徴とするシステムによって解決される。また上述の課題は、上述したシステム内で使用されるカメラであって、信号を伝送する手段を有する形式のものにおいて、前記カメラは、少なくとも１つの他のカメラから信号を選択的に受信する手段を有しており、当該カメラは、前記少なくとも１つの他のカメラから来る信号を自身のビューファインダ内に選択的に表示するようにされている、ことを特徴とするカメラによって解決される。
【発明を実施するための最良の形態】
【００１１】
有利な発展形態および実施例は、従属請求項に記載されている。
【００１２】
本発明の第１の実施例では、各カメラの画像はリアルタイムにそれぞれ他のカメラに伝送される。その後、各他のカメラから伝送された画像は、例えば中込め画像表示方式、またはＰＩＰとしてビューファインダ内に表示される。これによって各カメラ操作者は、各他のカメラ操作者のショットを観察することができ、従って他のカメラと異なった、異なる視点を提供する、フィルムセットまたはフィルムロケーション上の新たな位置を選択することができるようになる。本発明のシステムにおいて使用されるカメラは、１つまたは複数の各他のカメラの画像を、ビューファインダ内に表示されるように選択する、または他のカメラのイメージの表示をスイッチオフすることができるようにされている。
【００１３】
本発明の第２の実施例では、本発明によるシステム内で使用される各カメラに「グッドショット」スイッチが設けられる。「グッドショット」スイッチをアクティブにすることによって、カメラ操作者が自身のショットが非常に有用であると考えているということを示すことができる。「グッドショット」スイッチをアクティブにすることによって、「グッドショット」信号が他のカメラに発せられる。発展形態においては、アクティブにされた「グッドショット」信号によって、アクティブにされた「グッドショット」信号を有するカメラの画像が各他のカメラのビューファインダ内に表示される。「グッドショット」信号はこの場合には、各他のカメラへ伝送されるビデオ信号内に組み込まれる。このカメラは、ビデオ信号に「グッドショット」信号が添付されている場合にのみ、別のカメラのビデオ信号を表示することができるようにされている。
【００１４】
「グッドショット」信号は、イベントの部分がカバーされないという危険性なしに位置を変えることができる他のカメラ操作者へのインジケータとしても用いられる。ビデオおよび／またはオーディオ等のさらなる信号なしに「グッドショット」信号だけが伝送される場合でも、イベントの部分をカバーしていない危険性は低減される。
【００１５】
第１の実施形態か、または第２の実施形態である、本発明のさらなる発展形態では、カメラは、各他のカメラの複数の画像をそのビューファインダ内に示すことができる。「グッドショット」信号が受信されると、「グッドショット」信号を発したカメラから来る画像はビューファインダ内で強調される。これによって、他のカメラ操作者は容易に、「グッドショット」であるとみなされている画像を識別することができる。「グッドショット」であると見なされている画像を強調することは、この画像のまわりの、他と区別してはっきりと目立つフレームの形状でなされる。または点滅するインジケータまたは一般的に知られている他の手段によって行われる。
【００１６】
他の発展形態では、他の各「カメラに伝送されるビデオ信号は、記録されたまたは放送るビデオ信号のオリジナルのフレーム率よりも低いフレーム率を有している。画像を低減された解像度で、すなわち少ないラインおよびピクセルで伝送することも可能である。これによって伝送バンド幅に対する必要性が低減される。
【００１７】
本発明によるシステムおよび相応するカメラのさらに別の実施形態では、カメラ操作者は、表示されるセット上のそれぞれ他のカメラから表示される複数のビデオ画像を選択することができる。これによって、グループが形成される。別の実施形態では、このグループに属するカメラからのビデオ信号だけがビューファインダ内に表示される。これは永続的、または各ビデオ信号に「グッドショット」信号が添付されている場合だけである。これによって、イベントをカバーするのに用いられるカメラの数が多い場合に、過度に多い別個の画像がビューファインダ内に表示されることが避けられる。
【００１８】
「グッドショット」信号および相応するビューファインダ内の表示のための相応するビデオ信号の伝送は、ワイヤレスにまたはケーブルコネクションを介して行われる。これはカメラの種類および使用されているカメラセットアップに依存する。
【実施例】
【００１９】
本発明を以下で図面を参考にして説明する。
【００２０】
図には、同じまたは類似のエレメントには同じ参照記号が付与されている。
【００２１】
図１には、典型的なフィルムセットの概略図が示されている。４つのカメラ１，２，３，４が、とらえられるべき対象６の周りに配置されている。分かりやすくするために、対象６は立方体形状を有している。本発明の範囲を逸脱することなく、カメラの数はより多くてもよいし、または２つのカメラだけが関与してもよい。カメラ１，２，３，４は、対象６の画像を異なる視野から撮る。
【００２２】
図２には、第１の実施例に相応する本発明のシステムで使用されるカメラのビューファインダ１０が示されている。ビューファインダ１０内では対象６が再生されている。上方右角には、「グッドショット」表示１１が見える。この「グッドショット」表示１１は、本実施例では、アクティブにされた「グッドショット」信号を有するカメラナンバーに関する情報を伴うフィールドである。この「グッドショット」表示１１は、他の形状であらわれてもよく、殊に「グッドショット」表示１１の色が対比であってもよい。またはフィールドが点滅してもよい。「グッドショット」を同時に有する幾つかのカメラからの複数のインジケータがあってもよい。これによって、カメラ操作者は、位置を変えるかまたは変えないかを決めることができる。例えば、もし、別のカメラからの少なくとも１つの「グッドショット」表示が照らされていなければ、彼または彼女のカメラに対して「グッドショット」表示をアクティブにしたカメラ操作者は、自身の位置を変えてはならない。
【００２３】
図３には、第２の実施例に相応する本発明のシステム内で使用されるカメラのビューファインダ１０が示されている。図２を参照して説明されたように、対象６がビューファインダ１０内で再生されている。他のカメラのうちの１つのカメラからの小さい画像が、ビューファインダ１０の上方右角内に、中込め画像（またはＰＩＰ）１２として示されている。図では対象６はＰＩＰ１２内で異なる角度から見られる。ＰＩＰ１２は、セット上の他のカメラのうちの１つのカメラのカメラ操作者が「グッドショット」信号をアクティブにした場合にのみ見られる。従ってこれは他のカメラ操作者に次のことを示す。すなわち、今、次の画像のために新たな位置を見つけることを試みることができるということを示す。ＰＩＰ１２は、さらなる情報、例えばどのカメラがこの画像を撮っているのか（図示されていない）に関する情報をもたらすこともできる。
【００２４】
図４には、第３の実施例に相応する本発明のシステム内で使用されるカメラのビューファインダ１０が示されている。図２を参照して説明されたように、対象６はビューファインダ１０内で再生されている。付加的に、セット上の他のカメラからの３つの小さい画像（またはＰＩＰ１２、１３、１４）がビューファインダ１０内で見られる。各画像は、対象６を異なる角度から示している。図ではＰＩＰ１３が強調されており、その周りの太いダッシュフレームで示されている。強調が他の一般的に知られている手段、例えば色付けされたフレームまたは点滅フレームによって行われてもよい。強調は次のことを示す。すなわち、カメラ操作者が「グッドショット」信号をアクティブにし、従って他のカメラ操作者が次のショットのために新たな位置を見つけることができるということを示す。
【００２５】
本発明は、何を撮るのかを決めるプロデューサーを必要としない、複数のカメラに対する共働方法を開示する。
【図面の簡単な説明】
【００２６】
【図１】３つのカメラを有するフィルムセットの概略図
【図２】本発明によるシステム内で使用されるカメラのビューファインダの第１の実施例の概略図
【図３】本発明によるシステム内で使用されるカメラのビューファインダの第２の実施例の概略図
【図４】本発明によるシステム内で使用されるカメラのビューファインダの第３の実施例の概略図
【図１】
2006295941.tif 000003
【図２】
2006295941.tif 000004
【図３】
2006295941.tif 000005
【図４】
2006295941.tif 000006